(57)【要約】【課題】簡素な構成及び操作で扉の段階的な半開き状態とすることができるドアガードアーム装置を提供する。【解決手段】扉枠に回動可能且つ伸縮可能に設けられたガードアーム本体１４と、扉枠に回動可能に支持された回動アーム部１６と、回動アーム部１６にスライド変位可能に保持されたスライドアーム部１７と、回動アーム部１６の内側面に複数設けられた位置決め孔１８ｆと、位置決め孔１８ｆに係合するストッパアーム２５と、デットボルト１５の第１の中間位置で係合することによりガードアーム本体１４の回動及び伸張を許容しつつ扉のドアチェーン位置までの開放を許容するスライダー２１と、デットボルト１５の第２の中間位置で係合することによりガードアーム本体の回動及び伸張を許容しつつ扉の最大採風位置までの開放を許容するスライドアームカバー２２と、を備えている。【選択図】  図４
2012207415.tif 000002
【特許請求の範囲】
【請求項１】
複数段階で突出量が切り替えられるデットボルトの最大突出位置で係合することにより扉の開放を阻止するストライク本体と、
扉枠又は扉のいずれか一方に回動可能且つ伸縮可能に設けられると共に前記デットボルトが最大突出位置まで突出した際に前記デットボルトが貫通するガードアーム本体と、を備えたドアガードアーム装置において、
前記ドアガードアーム装置は、
前記扉枠又は前記扉のいずれか一方に回動可能に支持された回動アーム部と、
該回動アーム部にスライド変位可能に保持されたスライドアーム部と、
を備え、
前記回動アーム部の内側面に前記スライドアーム部のスライド変位方向に沿って複数設けられた位置決め孔と、
前記スライドアーム部に設けられて前記位置決め孔に係合するストッパアームと、
前記デットボルトの第１の中間位置で係合することにより前記ストッパアームと前記位置決め孔との係合を阻止した状態で前記ガードアーム本体の回動及び伸張を許容しつつ前記扉のドアチェーン位置までの開放を許容する第１のスライド部材と、
前記デットボルトの第２の中間位置で係合することにより前記ストッパアームと前記位置決め孔との係合を許容した状態で前記ガードアーム本体の回動及び伸張を許容しつつ前記扉の最大採風位置までの開放を許容する第２のスライド部材と、
を備えていることを特徴とするドアガードアーム装置。
【請求項２】
前記ストッパアームは、前記位置決め孔と係合すると共に、伸張方向への前記ストッパアームの変位時に前記位置決め孔と当接することにより前記ストッパアームを前記位置決め孔から退避させるガイド面を備えることを特徴とする請求項１に記載のドアガードアーム装置。
【請求項３】
前記ストッパアームは、付勢部材の付勢によって前記位置決め孔と弾発係合することを特徴とする請求項１又は請求項２に記載のドアガードアーム装置。
【発明の詳細な説明】
【技術分野】
【０００１】
本発明は、扉と扉枠との間に設けて扉の開放を半開きに制限するドアガードアーム装置に関する。
【背景技術】
【０００２】
ドアガードアーム装置は、防犯の目的で扉の開放を半開き状態に制限するものとしてドアチェーンと同様の機能を有するもので、特に、近年のワンドア・ツーロックの補助鍵用のサムターンの回動位置に応じてデッドボルトと係合又は係合解除することで扉半開き状態と扉開放状態とに切り替えるもの等が各種提案されている。
【０００３】
この際、ドアガードアーム装置は、ドアチェーンと比べて硬質な金属アームを主たる構成部材として用いていることから、例えば、室内の通気やペット（小動物）の出入り等のため、扉と扉枠との間にストッパ部材（クサビ片等）を介在させることなく、扉の半開き状態を維持するものが知られている（例えば、特許文献１参照）。
【先行技術文献】
【特許文献】
【０００４】
【特許文献１】実開平０６−４０２５４号公報
【発明の概要】
【発明が解決しようとする課題】
【０００５】
ところが、上述したドアガードアーム装置にあっては、扉閉成状態と扉半開き状態との二段階にしか扉の開放状態を切り替えることができなかった。
【０００６】
したがって、例えば、マンション等の下層階と上層階とでは風の入り方（風力）が異なるように、その日の天候のみならず、場所（高さ）等によっても風の取り入れ量は一様ではないため、防犯機能の確保を優先した最大開度を基準とした一種類の開度での半開き状態では、それよりも狭い開度の半開き状態とするには、結局、扉と扉枠との間にストッパ部材を介在させる必要が生じる等の問題が生じていた。
【０００７】
また、扉の半開き状態の開度を複数段階に切り換え可能とした場合、電気的なスイッチやロックボタンを設けたのでは、構造が複雑化して部品コストの高騰や重量が増すなどの不具合が生じてしまううえ、操作に手間を要するという問題が生じる。
【０００８】
例えば、一段目を微採風位置、二段目を来訪者確認位置兼採風位置のように、扉の開度を二段階とした場合、ロックボタンを押した解除操作のまま扉を開放操作しないと、来訪者確認であるにも関わらず一段目の微採風位置で扉がロックしてしまい、来訪者の応対がし難いという問題が生じてしまう。
【０００９】
本発明は、上記した課題を解決すべくなされたものであり、電気的なスイッチやロックボタンを設けることなく、簡素な構成及び操作で扉の段階的な半開き状態とすることができるドアガードアーム装置を提供することを目的とする。
【００１０】
また、扉半開き状態を容易に解除することができるドアガードアーム装置を提供することを目的とする。
【課題を解決するための手段】
【００１１】
本発明のドアガードアーム装置は、複数段階で突出量が切り替えられるデットボルトの最大突出位置で係合することにより扉の開放を阻止するストライク本体と、扉枠又は扉のいずれか一方に回動可能且つ伸縮可能に設けられると共に前記デットボルトが最大突出位置まで突出した際に前記デットボルトが貫通するガードアーム本体と、を備えたドアガードアーム装置において、前記ドアガードアーム装置は、前記扉枠又は前記扉のいずれか一方に回動可能に支持された回動アーム部と、該回動アーム部にスライド変位可能に保持されたスライドアーム部と、を備え、前記回動アーム部の内側面に前記スライドアーム部のスライド変位方向に沿って複数設けられた位置決め孔と、前記スライドアーム部に設けられて前記位置決め孔に係合するストッパアームと、前記デットボルトの第１の中間位置で係合することにより前記ストッパアームと前記位置決め孔との係合を阻止した状態で前記ガードアーム本体の回動及び伸張を許容しつつ前記扉のドアチェーン位置までの開放を許容する第１のスライド部材と、前記デットボルトの第２の中間位置で係合することにより前記ストッパアームと前記位置決め孔との係合を許容した状態で前記ガードアーム本体の回動及び伸張を許容しつつ前記扉の最大採風位置までの開放を許容する第２のスライド部材と、を備えていることを特徴とする。
【００１２】
これにより、電気的なスイッチやロックボタンを設けることなく簡素な構成とし得て、しかも、ドアガードアーム装置の機能を有効として扉全開状態を阻止したロック状態において、扉の開放操作のみという簡素な操作で扉の段階的な半開き状態とすることができる。
【００１３】
また、本発明のドアガードアーム装置の前記ストッパアームは、前記位置決め孔と係合すると共に、伸張方向への前記ストッパアームの変位時に前記位置決め孔と当接することにより前記ストッパアームを前記位置決め孔から対比させるガイド面を備えることを特徴とする。
【００１４】
これにより、扉の開閉操作のみで扉半開き状態を容易に解除することができる。
【００１５】
さらに、本発明のドアガードアーム装置の前記ストッパアームは、付勢部材の付勢によって前記位置決め孔と弾発係合することを特徴とする。
【００１６】
これにより、扉を段階的に半開きとする際の開度決め時にクリック感を得ることができ、扉半開き開放操作の容易性を確保することができる。
【発明の効果】
【００１７】
本発明に係るドアガードアーム装置によれば、電気的なスイッチやロックボタンを設けることなく、簡素な構成及び操作で扉の段階的な半開き状態とすることができる。
【図面の簡単な説明】
【００１８】
【図１】本発明の一実施形態に係るドアガードアーム装置の正面図である。
【図２】本発明の一実施形態に係るドアガードアーム装置の縦断面図である。
【図３】本発明の一実施形態のドアガードアーム装置を示し、ガードアーム本体の正面図である。
【図４】本発明の一実施形態のドアガードアーム装置を示し、ガードアーム本体の縦断面図である。
【図５】本発明の一実施形態のドアガードアーム装置を示し、（Ａ）は回動アームベースの正面図、（Ｂ）は回動アームベースの縦断面図である。
【図６】本発明の一実施形態のドアガードアーム装置を示し、（Ａ）はスライドアームカバーの正面図、（Ｂ）はスライドアームカバーの縦断面図である。
【図７】本発明の一実施形態のドアガードアーム装置を示し、（Ａ）はストッパアームの正面図、（Ｂ）はストッパアームの縦断面図である。
【図８】本発明の一実施形態のドアガードアーム装置を示し、（Ａ）はスライドブラケットの正面図、（Ｂ）はスライドブラケットの縦断面図である。
【図９】本発明の一実施形態に係るドアガードアーム装置のドアチェーン状態の正面図である。
【図１０】本発明の一実施形態に係るドアガードアーム装置の回動初期の正面図である。
【図１１】本発明の一実施形態に係るドアガードアーム装置の一段目際風状態の正面図である。
【図１２】本発明の一実施形態に係るドアガードアーム装置の最大回動状態の正面図である。
【発明を実施するための形態】
【００１９】
次に、本発明の一実施形態に係るドアガードアーム装置について、図面を参照して説明する。
【００２０】
尚、以下に示す実施例は本発明のドアガードアーム装置における好適な具体例であり、技術的に好ましい種々の限定を付している場合もあるが、本発明の技術範囲は、特に本発明を限定する記載がない限り、これらの態様に限定されるものではない。
【００２１】
（全体構成）
図１及び図２において、ドアガードアーム装置１０は、扉によって開閉される扉枠（共に図示せず）の所定位置に扉の側面と対向するように配置・固定されるストライク本体１１と、ストライク本体１１を扉枠に固定するためのネジ１２と、ストライク本体１１に支持軸１３を介して回動可能に支持されるガードアーム本体１４と、を備えている。
【００２２】
（ストライク本体１１の構成）
ストライク本体１１は、アルミ等の軽金属等で形成され、扉に設けられて側面から出没するデットボルト１５の突出端１５ａが扉開放ロック状態のときに係合するデット穴１１ａが形成されている。尚、デットボルト１５は、図示を略すサムターン等の回動操作によって扉の側面から出没可能となっており、常時は扉の側面に埋没してドアガードアーム装置１０から退避した位置（図２の鎖線位置）にあり、例えば、サムターンを９０°回転させることでストライク本体１１のデット穴１１ａに正面視矩形を呈する突出端１５ａが係合する位置にまで突出して扉の開放をロックする。また、サムターンを４５°回転させると、突出端１５ａがデット穴１１ａからのみ退避し、突出端１５ａの内側（扉側）に位置する小判型（又は円形・楕円形）の首部１５ｂがガードアーム本体１４の内部に位置する（詳細は後述する）ように突出量が設定されている。また、ストライク本体１１に対する支持軸１３の支持は、ストライク本体１１の裏面側に突出する支持軸１３の先端にＥリングやＣリング（図示せず）等を嵌合することにより、抜け止め状態で支持軸１３を回転可能に支持する。
【００２３】
（ガードアーム本体１４の構成）
ガードアーム本体１４は、支持軸１３に支持される回動アーム部１６と、回動アーム部１６にスライド変位可能に保持されたスライドアーム部１７と、を備えている。尚、以下の説明において、扉の上下方向をガードアーム本体１４の上下方向、扉の開閉方向をガードアーム本体１４の幅方向、扉と扉枠との間をガードアーム本体１４の厚さ方向（扉側を表面、扉枠側を裏面）として説明する。
【００２４】
（回動アーム部１６の構成）
回動アーム部１６は、図３及び図４に示すように、裏面側に配置された回動アームベース１８と、表面側に配置された回動アームカバー１９と、を備えている。この回動アームベース１８と回動アームカバー１９とは、スライドアーム部１７の下端側が突出するように下方に開放すると共にスライドアーム部１７の上端側をスライド変位可能に収納支持する厚さと幅のスペースを有するように中空状に嵌め合わせ結合されている。この際、回動アーム部１６の両側面においては、回動アームベース１８の両側面の外側に回動アームカバー１９の両側面が位置している。
【００２５】
回動アームベース１８は、図５に示すように、上端を半円弧状とする金属プレート状のベース部１８ａと、ベース部１８ａの下端を開放するように周縁部から表面側に立ち上がるフランジ部（両側壁）１８ｂと、ベース部１８ａの上端付近に形成されて支持軸１３が貫通する軸受部１８ｃと、軸受部１８ｃの下方に切起こし状に表面側に向けて立ち上げられたスプリング支持部１８ｄと、フランジ部１８ｂの上端付近から中央付近に跨る端面に凹嵌状に形成されたガイド部１８ｅと、一方のフランジ部１８ｂの中央付近から下端付近に跨る複数個所（例えば、四箇所）に形成されたスリット状の位置決め孔１８ｆと、を備えている。
【００２６】
スプリング支持部１８ｄは、幅方向二箇所に離間して形成され、それぞれ引っ張り付勢されたコイルスプリング２０の一端を支持する。また、ガイド部１８ｅは、スライドアーム部１７のスライド範囲を規定する。さらに、位置決め孔１８ｆは、スライドアーム部１７を段階的に位置決めする際に用いられ、その数や位置は任意である。
【００２７】
回動アームカバー１９は、回動アームベース１８を外側表面から覆うように嵌め合わされ、回動アームベース１８よりも薄肉の金属プレートからプレス加工等によって形成されており、ベース部１９ａと、ベース部１９ａの下端を開放するように周縁部から表面側に立ち上がるフランジ部（両側壁）１９ｂと、ベース部１９ａの上端付近に形成されて支持軸１３が貫通する軸受部１９ｃと、を備えている（図２，図３参照）。
【００２８】
（スライドアーム部１７の構成）
スライドアーム部１７は、回動アームベース１８と回動アームカバー１９との間の回動アームベース１８側に配置されて常時は回動アーム部１６に上半分程度が収納された第１のスライド部材としてのスライダー２１と、回動アームベース１８と回動アームカバー１９との間の回動アームカバー１９側に配置されて常時は回動アーム部１６に上半分程度が収納された第二のスライド部材としてのスライドアームカバー２２と、スライダー２１の回動アーム部１６から露出している下端部付近裏面側を覆う背面カバー２３と、スライダー２１とスライドアームカバー２２との間のスライダー２１側に配置されて下端寄りがスライドアームカバー２２の中央付近でスライドアームカバー２２にアームピン２４を介して回動可能に軸支されたストッパアーム２５と、スライドアームカバー２２とストッパアーム２５との間のスライドアームカバー２２側に配置されたスライドブラケット２６と、アームピン２４に保持された捻りバネ等のストッパーバネ２７と、スライダー２１の下端とスライドアームカバー２２の下端との間に配置された板バネ２８と、を備えている。
【００２９】
スライダー２１は、スライドアームカバー２２とのクリアランスを確保するためにベース部２１ａの周縁部からスライドアームカバー２２の裏面に向けて立ち上がるフランジ部２１ｂと、フランジ部２１ｂの上端寄りの端面に凹嵌状に形成されたガイド部２１ｃと、ベース部２１ａの中央付近に形成されて背面カバー２３との間に突出端１５ａが非係合状態で位置する間隔を空けるための屈曲部２１ｄと、ベース部２１ａの下端寄りに形成されたデット穴２１ｅと、を一体に備えている。
【００３０】
スライドアームカバー２２は、図６に示すように、上端に鍔部２２ａを有する金属プレート状のベース部２２ｂと、ベース部２２ｂの上縁部を除く周縁部から裏面側に立ち上がるフランジ部２２ｃと、ベース部２２ｂの上端付近に切起こし状に裏面側に向けて立ち上げられたスプリング支持部２２ｄと、フランジ部２２ｃの上端寄りの端面に凹嵌状に形成されたガイド部２２ｅと、ベース部２２ｂの中央付近から下端付近に跨る複数個所（例えば、二箇所）に形成された位置決め孔２２ｆと、ベース部２２ｂの中央付近に形成されてスライダー２１との間に突出端１５ａが非係合状態で位置する間隔を空けるための屈曲部２２ｇと、ベース部２２ｂの下端寄りに形成されたデット穴２２ｈと、を一体に備えている。
【００３１】
鍔部２２ａは下端側から上端側に向って段差上に拡開する段差部２２ｉを一体に備えている。また、スプリング支持部２２ｄは、幅方向二箇所に離間して形成され、それぞれ引っ張り付勢されたコイルスプリング２０の他端を支持する。また、ガイド部２２ｅは、スライダー２１のみのスライド範囲を規定する。さらに、位置決め孔２２ｆは、スライドブラケット２６を段階的に位置決めする際に用いられる。
【００３２】
背面カバー２３は、金属プレート状のベース部２３ａと、ベース部２３ａの上端を除く周縁から表面側に立ち上がるフランジ部２３ｂと、ベース部２３ａの中央付近に形成されたデット穴２３ｃと、を一体に備えている。
【００３３】
ここで、背面カバー２３のデット穴２３ｃはスライドアームカバー２２のデッド穴２２ｈを略同一とされ、スライダー２１のデット穴２１ｅはスライドアームカバー２２のデット２２ｈよりも下端側が短く形成されている。この際、スライダー２１のデット穴２１ｅとスライドアームカバー２２のデット２２ｈとの長さの差は位置決め孔２２ｆの中心間距離と略同一とされ、本実施の形態において、約５ｍｍである。
【００３４】
アームピン２４は、一端はスライドアームカバー２２に固定され、他端はストッパアーム２５の下端寄りを回動可能に支持している。また、アームピン２４は、ストッパーバネ２７の略中央の巻回部分を支持している。
【００３５】
ストッパアーム２５は、図７に示すように、金属製プレートから構成されており、その上端寄りには表面側に突出するストッパピン２９を固定（一体形成でも良い）している。また、ストッパアーム２６の側方には、ガイド部２１ｃ，２２ｅ及び位置決め孔１８ｆと係合可能となるように、段階的に先細りとされたガイド面２５ａを備えた係合部２５ｂが形成されている。
【００３６】
スライドブラケット２６は、ベース部２６ａの中央付近から上端側に跨る一対の脚部２６ｂと、脚部２６ｂの上端から外側に突出する鍔部２６ｃと、下端側から突出する舌片部２６ｄと、舌片部２６ｄの表面から突出する係合突起２６ｅと、舌片部２６ｄよりも上方のベース部２６ａに形成された正面視上下逆向きのＬ字状のガイド溝２６ｆと、を備えている。このガイド溝２６ｆには、ストッパピン２９が臨み、上下方向に伸びる溝部分でスライダー２１及びスライドアームカバー２２のスライド変位を許容し、幅方向に伸びる部分でスライダー２１及びスライドアームカバー２２のスライド変位を阻止するように、ストッパアーム２５を回動変位させる。また、ガイド溝２６ｆは、上下方向に伸びる溝底（下端側）でストッパピン２５の回動を阻止する。係合突起２６ｅは、位置決め孔２２ｆの一方と係合する。
【００３７】
ストッパーバネ２７は、一端はスライダー２１の内面に当接し、他端はストッパピン２９に当接している。また、ストッパーバネ２７は、ストッパピン２９を押し出し方向に付勢している。
【００３８】
板バネ２８は、スライダー２１の下端が当接した際、スライダー２１を収納方向（上方）に付勢する。
【００３９】
（組み付け構成）
このような構成において、図３及び図４に示すように、回動アームベース１８の表面側に、スライダー２１、ストッパアーム２５、スライドブラケット２６、の順で収納され、これらの表面側がスライドアームカバー２２によって覆われ、スライダー２１の下端寄り裏面が背面カバー２３によって覆われる。尚、この図３及び図４に示した状態を待機状態とする。
【００４０】
この際、スライドアームカバー２２は鍔部２２ａがガイド部１８ｅの上端に当接（上死点）するように回動アームベース１８に支持され、スライドブラケット２６は段差部２２ｉを含む鍔部２２ａと重なるように鍔部２６ｃがガイド部１８ｅの上端に当接するように回動アームベース１８に支持される。これにより、スライドブラケット２６の係合突起２６ｅは位置決め孔２２ｆの上端側と係合する。また、コイルスプリング２０は収縮状態にあってスライドアームカバー２２を上方へと押し上げ、鍔部２２ａがガイド部１８ｅの上端に当接している状態を維持している。
【００４１】
さらに、スライダー２１は、板バネ２８の付勢によって上方に付勢されおり、スライドアームカバー２２が上死点に位置していることと相俟って、係合部２５ｂの段差部分がフランジ部２１ｂの内面と当接してストッパアーム２５をストッパーバネ２７の付勢に抗して退避側へと回動させている。これにより、係合部２５ｂの先端は、ガイド部２１ｃ，２２ｅに臨み、フランジ部１８ｂの内面に当接している。
【００４２】
（動作説明）
上記の構成において、デットボルト１５の扉の側面からの突出量は、三段階とし、奥側から順に、扉の側面から完全突出して突出端１５ａがストライク本体１１のデット穴１１ａにまで臨む「施錠状態」（図１乃至図４参照）と、突出端１５ａがストライク本体１１のデット穴１１ａ及び背面カバー２３のデット穴２３ｃから退避しかつ首部１５ｂがスライダー２１のデット穴２１ｅ及びスライドアームカバー２２のデット穴２２ｈとに跨って臨む「採風状態（多段階）」と、突出端１５ａがデット穴１１ａ，２３ｃ，２１ｅから退避しかつ首部１５ｂがデット穴２２ｈにのみ臨む「ドアチェーン状態」、の３種類の状態を可能とする。
【００４３】
（ドアチェーン状態）
デットボルト１５の突出端１５ａがスライダー２１とスライドアームカバー２２との間にあるとき、図９に示すように、ガードアーム本体１４は、図示時計回りに回転しつつスライドアーム部１７が伸張し、扉を一定角度になるまで開くことが可能な状態となる。この時、ストッパアーム２５は、スライダー２１のみのスライド変位に伴ってスライドブラケット２６が変位し、ストッパピン２９をガイド溝２６ｆの溝底に位置させることによってストッパアーム２５の回動が阻止されていることによって、係合部２５ｂの先端が回動アームベース１８の位置決め穴１８ｆに入らない状態を保持している。これにより、一旦、扉を開いて来訪者との対応をした後、扉の閉動作を行うだけでガードアーム本体１４及びスライドアーム部１７が扉の閉動作に追従して図示反時計回り方向への回動及び収縮方向へのスライド変位は許容され、扉を閉成することができる。
【００４４】
（採風状態）
一方、突出端１５ａがストライク本体１１のデット穴１１ａ及び背面カバー２３のデット穴２３ｃから退避しかつ首部１５ｂがスライダー２１のデット穴２１ｅ及びスライドアームカバー２２のデット穴２２ｈとに跨って臨んでいるとき、図１０に示すように、扉の開動作に連動して、ガードスライドアーム部１７が図示時計回りに回転し、首部１５ｂとの係合によりスライダー２１のみが伸張方向にスライド変位する。
【００４５】
この際、ストッパアーム２５は、ガイド部２１ｃによってスライダー２１の変位による影響を受けず、そのままの状態を維持している。また、このスライダー２１のみの伸張方向へのスライド変位は、扉の更なる開放操作によってスライダー２１のデット穴２１ｅとスライドアームカバー２２のデット穴２２ｈとの下端側のズレ分に達すると、首部１５ｂがスライダー２１のデット穴２１ｅとスライドアームカバー２２のデット穴２２ｈとに接触する（回動初期状態）。
【００４６】
そして、この回動初期状態から、扉をさらに開放操作すると、図１１に示すように、ストッパアーム２５がストッパーバネ２７のバネ力により時計回りに回転し、回動アームベース１８に当たり止る。そのまま開扉動作を続けていくと、上記の状態でスライドアーム部１７がスライド変位（伸張）していき、回動アームベース１８に設けてある穴（本図では４ヶ所）にストッパアーム２５の先端が入るようになることで、スライドアーム部１７が縮まなくなり、数段階の角度で扉が半開き（採風状態）で保持される。以降、際風状態の扉の角度を位置決め孔１８ｆの数に応じてスライドアーム部１７のスライド位置に応じて変更することができる。
【００４７】
この際、ストッパアーム２５は、扉の開放方向の操作によってスライドアーム２５が係合部２５ｂの先端の段差形状によって案内されて自動的に退避方向（図示反時計回り方法）に回動すると共に、位置決め孔１８ｆの位置でストッパーバネ２７の弾性により係合部２５ｂが弾発係合して開放位置が決められる。したがって、扉を開放操作するだけで採風位置を変更することができると共に、クリック感を得ることができ、採風位置の位置決めを容易に行うことができる。
【００４８】
採風状態を解除する場合は、扉を一度最大角度まで開くことにより、図１２に示すように、回動アームベース１８のガイド部１８ｅの上死点でスライドブラケット２６が押し出されると同時にストッパピン２９を移動させ、ストッパアーム２５を図示半時計回りに回転させてスライドアーム部１７のスライド変位を許容し、閉扉可能な状態となる。
【００４９】
なお、上記した実施の形態では、扉枠にストライク本体１１を取り付け、扉にデットボルト１５を取り付けているが、反対に、扉にストライク本体１１を取り付け、扉枠にデットボルト１５を取り付けてもよい。
【符号の説明】
【００５０】
１０…ドアガードアーム装置
１１…ストライク本体
１４…ガードアーム本体
１５…デットボルト
１６…回動アーム部
１７…スライドアーム部
１８…回動アームベース
１８ｆ…位置決め孔
２５…ストッパアーム
２１…スライダー（第１のスライド部材）
２２…スライドアームカバー（第２のスライド部材）
【図１】
2012207415.tif 000003
【図２】
2012207415.tif 000004
【図３】
2012207415.tif 000005
【図４】
2012207415.tif 000006
【図５】
2012207415.tif 000007
【図６】
2012207415.tif 000008
【図７】
2012207415.tif 000009
【図８】
2012207415.tif 000010
【図９】
2012207415.tif 000011
【図１０】
2012207415.tif 000012
【図１１】
2012207415.tif 000013
【図１２】
2012207415.tif 000014